(57)【要約】【課題】読取った原稿画像に対し画像加工が可能な画像形成装置において、画像加工時に用いるデータファイルを簡単に取込み、かつ高いセキュリティ環境でデータファイルを管理可能な画像形成装置を提供する。【解決手段】画像形成装置は、画像を読取り画像データとして取込む画像取込機能と、ユーザＩＤを用いて利用者認証を行なうユーザ認証機能（Ｓ４１４、Ｓ４１８）と、装置外部で作成したデータを取込む外部情報取込機能と、取込んだデータをユーザＩＤと関連付けて記録するデータ記録機能と、記録されたデータの中から、ユーザＩＤと関連付けて記録されたデータを選択するデータ選択機能（Ｓ４２４、Ｓ４２８）と、データ選択機能が選択したデータを、画像取込機能で取込んだ画像データに合成する画像合成機能とを含む。【選択図】        図１３
2010258964.tif 000002
【特許請求の範囲】
【請求項１】
画像を読取り、画像データとして取込むための画像取込手段と、
ユーザＩＤを用いて利用者認証を行なうためのユーザ認証手段と、
装置外部で作成されたデータを取込むための外部情報取込手段と、
前記外部情報取込手段が取込んだデータを前記ユーザＩＤと関連付けて記録するためのデータ記録手段と、
前記データ記録手段に記録された前記データの中から、前記ユーザ認証手段において用いられた前記ユーザＩＤと関連付けて記録されたデータを選択するためのデータ選択手段と、
前記データ選択手段が選択したデータを、前記画像取込手段で取込んだ画像データに合成するための画像合成手段とを含む、画像形成装置。
【請求項２】
前記画像合成手段は、
前記データ選択手段が選択した前記データに含まれるレコードのいずれかをユーザに選択させるためのレコード選択手段と、
前記レコード選択手段を用いて選択されたレコードを、前記画像取込手段で取込んだ画像データに合成するためのレコード合成手段とを含む、請求項１に記載の画像形成装置。
【請求項３】
前記外部情報取込手段は、記録媒体に記録されたデータファイルのいずれかをユーザに選択させ、選択されたデータファイルを取込むためのデータファイル取込手段を含み、
前記データ記録手段は、前記データファイル取込手段が取込んだデータファイルに記録されたデータを前記ユーザＩＤと関連付けて記録するための手段を含む、請求項１又は請求項２に記載の画像形成装置。
【請求項４】
前記記録媒体に記録されたデータはテキストデータである、請求項３に記載の画像形成装置。
【請求項５】
前記画像取込手段が取込んだ画像データを用いて文字認識処理を行ない、テキストデータを作成するための文字認識手段をさらに含み、
前記外部情報取込手段は、前記文字認識手段が作成した前記テキストデータを取込むためのテキスト取込手段を含み、
前記データ記録手段は、前記テキスト取込手段が取込んだ前記テキストデータを前記ユーザＩＤと関連付けて記録するための手段を含む、請求項１又は請求項２に記載の画像形成装置。
【請求項６】
前記外部情報取込手段が取込むデータはメールアドレスである、請求項１〜請求項５のいずれかに記載の画像形成装置。
【発明の詳細な説明】
【技術分野】
【０００１】
本発明は、原稿画像を読取り所定の処理を行なう画像形成装置に関し、特に、読取った原稿画像データの加工機能を有する画像形成装置に関する。
【背景技術】
【０００２】
最近の画像形成装置においては、コピー機能に加えて、プリンタ機能、スキャナ機能及びファクシミリ機能を有するいわゆるデジタル複合機と呼ばれる機種が多く開発されている。画像形成装置の動作を制御するＣＰＵ（Ｃｅｎｔｒａｌ  Ｐｒｏｃｅｓｓｉｎｇ  Ｕｎｉｔ）の高性能化に伴って画像データの処理速度が上がり、デジタル複合機において多様な処理が実現できるようになった。例えば、読取った原稿画像に日付情報など所望する情報を付加して印刷を行なうなど、原稿画像データを加工して出力することが可能になった。しかし、デジタル複合機の多機能化に伴い、デジタル複合機の利用において、所望の機能を実現するための設定操作が複雑になるという問題が発生した。そのため、できるだけ簡単に各種機能を実行したいという利用者からの要望があった。
【０００３】
特許文献１では、プリンタ機能とファクシミリ機能とを有するデジタル複合機において、ホスト装置から送信される文書データを解析して宛先ファクシミリ番号を認識し、文書データから生成する画像データを、認識した宛先ファクシミリ番号宛にファクシミリ送信する技術が開示されている。
【０００４】
特許文献２では、スキャナ機能と、スキャナ機能を用いて読込む原稿の画像データの中から文字を認識し、対応するテキストデータを出力するＯＣＲ（Ｏｐｔｉｃａｌ  Ｃｈａｒａｃｔｅｒ  Ｒｅａｄｅｒ）機能を有するデジタル複合機において、ＯＣＲ機能による認識結果から出現頻度の高い文字列を抽出し、その文字列を原稿のテキストデータファイルに対するファイル名として適用する技術が開示されている。
【先行技術文献】
【特許文献】
【０００５】
【特許文献１】特開２０００−１５１９５８号
【特許文献２】特開２００６−２１１２６１号
【発明の概要】
【発明が解決しようとする課題】
【０００６】
現在のネットワーク通信を用いたコンピュータ環境においては、セキュリティの高いデータ管理が利用者から求められており、その実現が重要な課題の一つになっている。ネットワークに接続されるデジタル複合機においても同様で、データファイルの安全な管理が課題の一つとなっている。
【０００７】
また、デジタル複合機においては、操作部が小さいという装置の構造上の点から、各種機能で使用するデータファイルを、できるだけ簡単に作成したいという利用者の要求も高い。そのため、デジタル複合機においては、簡単な操作によるデータファイル作成と、データファイル管理におけるセキュリティ向上との両方の実現が課題となっている。
【０００８】
特許文献１の技術は、ホストデータから送信される文書データを解析して宛先番号を認識する。そのため、文書データを作成する段階で、予め所定の場所に番号情報を記載しておく必要がある。すなわち特許文献１の技術は、データ取込に関して、ホストコンピュータでのデータ作成が関連するため、デジタル複合機での簡単な操作によるデータファイル作成という課題を解決することができない。
【０００９】
特許文献２の技術は、ファイル名を用いてのデータ管理の面で操作を簡単にするという点では有効である。しかし、ファイル名からファイルの内容が推測され得る可能性があり、セキュリティの向上という課題を解決することができない。
【００１０】
そのため、本発明の目的は、読取った原稿画像に対し画像加工が可能な画像形成装置において、画像加工時に用いるデータファイルを簡単に取込可能で、かつ高いセキュリティ環境でデータファイルを管理可能な画像形成装置を提供することである。
【課題を解決するための手段】
【００１１】
本発明の第１の局面に係る画像形成装置は、画像を読取り、画像データとして取込むための画像取込手段と、ユーザＩＤを用いて利用者認証を行なうためのユーザ認証手段と、装置外部で作成されたデータを取込むための外部情報取込手段と、外部情報取込手段が取込んだデータをユーザＩＤと関連付けて記録するためのデータ記録手段と、データ記録手段に記録されたデータの中から、ユーザ認証手段において用いられたユーザＩＤと関連付けて記録されたデータを選択するためのデータ選択手段と、データ選択手段が選択したデータを、画像取込手段で取込んだ画像データに合成するための画像合成手段とを含む。
【００１２】
ユーザ認証手段は、ユーザＩＤを用いて利用者認証を行なう。外部情報取込手段は、装置外部で作成されたデータを取込む。データ記録手段は、外部情報取込手段が取込んだデータをユーザＩＤと関連付けて記録する。データ選択手段は、データ記録手段に記録されたデータの中から、ユーザ認証手段において用いられたユーザＩＤと関連付けて記録されたデータを選択する。画像合成手段は、データ選択手段が選択したデータを、画像取込手段で取込んだ画像データに合成する。
【００１３】
この画像形成装置は、外部で作成されたデータを取込み記録する際に、利用者認証で用いられるユーザＩＤと関連付けて記録する。利用者は記録したデータを画像データに合成する際には利用者認証を行ない、ユーザＩＤに関連付けて記録したデータの中から所望のデータを選択して用いる。取込んだデータを記録する時にユーザＩＤと関連付けて登録し、読出し時にはユーザ認証されたユーザＩＤと関連付けられたデータを読出すことで、第３者による登録データの不正な利用を防ぐことができる。また、外部で作成したデータを取込むことが可能であるため、画像形成装置における煩雑な操作を避けることができる。その結果、読取った原稿画像に対し画像加工が可能な画像形成装置において、画像加工時に用いるデータファイルを、簡単に取込可能で、かつ高いセキュリティ環境でデータファイルを管理可能な画像形成装置を提供することができる。
【００１４】
好ましくは、画像合成手段は、データ選択手段が選択したデータに含まれるレコードのいずれかをユーザに選択させるためのレコード選択手段と、レコード選択手段を用いて選択されたレコードを、画像取込手段で取込んだ画像データに合成するためのレコード合成手段とを含む。
【００１５】
レコード選択手段は、データ選択手段が選択したデータに含まれるレコードのいずれかをユーザに選択させる。レコード合成手段は、レコード選択手段を用いて選択されたレコードを画像取込手段で取込んだ画像データに合成する。
【００１６】
この画像形成装置では、利用者が選択したデータの中から所望のレコードを選択して、画像データに合成することができる。記録したデータの中から所望するレコードを選択できることで、画像合成用のデータをその都度作成する手間を省くことができる。
【００１７】
好ましくは、外部情報取込手段は、記録媒体に記録されたデータファイルのいずれかをユーザに選択させ、選択されたデータファイルを取込むためのデータファイル取込手段を含む。データ記録手段は、データファイル取込手段が取込んだデータファイルに記録されたデータをユーザＩＤと関連付けて記録するための手段を含む。
【００１８】
この画像形成装置は、記録媒体に記録されたデータファイルを取込むことができる。それにより、画像データに合成するためのデータを、外部情報端末を用いて簡単に作成することができる。また、記録媒体を用いて取込んだデータをユーザＩＤと関連付けて画像形成装置に記録する。その結果、画像加工時に用いるデータを簡単に作成し、かつ高いセキュリティ環境で管理することができる。
【００１９】
好ましくは、記録媒体に記録されたデータはテキストデータである。
【００２０】
画像に合成するデータをテキストデータとし、例えば、宛先などを記録し画像に合成することで、１つの画像データを元にして多くの相手先への印刷物を作成することができる。
【００２１】
好ましくは、画像形成装置は、画像取込手段が取込んだ画像データを用いて文字認識処理を行ない、テキストデータを作成するための文字認識手段をさらに含む。外部情報取込手段は、文字認識手段が作成したテキストデータを取込むためのテキスト取込手段を含む。データ記録手段は、テキスト取込手段が取込んだテキストデータをユーザＩＤと関連付けて記録するための手段を含む。
【００２２】
文字認識手段は、画像取込手段が取込んだ画像データを用いて文字認識処理を行ない、テキストデータを作成する。テキスト取込手段は、文字認識手段が作成したテキストデータを取込む。記録するための手段は、テキスト取込手段が取込んだテキストデータをユーザＩＤと関連付けて記録する。
【００２３】
この画像形成装置は、画像取込手段が取込んだ画像データに対して文字認識を行なってテキストデータを作成し、ユーザＩＤと関連付けて記録することができる。それにより、例えば、紙などに手書きで文字を書いて読込ませ、画像形成装置にデータを取込ませることが可能になる。このように、画像形成装置で使用するデータを作成するのに情報処理端末を用いることなく作成することができ、画像加工時に用いるデータファイルをより簡単に取込むことができる。また、テキストデータをユーザＩＤと関連付けて記録することで、高いセキュリティ環境でデータを管理することができる。
【００２４】
好ましくは、外部情報取込手段が取込むデータはメールアドレスである。
【００２５】
画像データに合成するデータとしてメールアドレスを用いることで、データが合成された印刷物を見ることで容易に配布先を確認することができる。
【発明の効果】
【００２６】
この画像形成装置は、外部で作成されたデータを取込み記録する際に、利用者認証で用いられるユーザＩＤと関連付けて記録する。利用者は、ユーザＩＤによるユーザ認証後、ユーザＩＤと関連付けて登録したデータのみを利用することができる。これにより、第３者による登録データの不正な利用を防ぐことができる。また、外部で作成したデータを取込むことが可能であるため、画像形成装置におけるデータ作成の煩雑な操作を避けることができる。その結果、読取った原稿画像に対し画像加工が可能な画像形成装置において、画像加工時に用いるデータファイルを簡単に取込可能で、かつ高いセキュリティ環境でデータファイルを管理可能な画像形成装置を提供することができる。
【図面の簡単な説明】
【００２７】
【図１】本発明の実施の形態に係る画像処理システム２０の構成を示す図である。
【図２】本実施の形態に係るデジタル複合機３０の構成を表すブロック図である。
【図３】デジタル複合機３０の画像読取部５２及び自動原稿搬送装置８８で構成される、原稿読取装置１２０の断面図である。
【図４】画像形成部５４の断面図である。
【図５】操作パネル６０を表す図である。
【図６】本実施の形態における画像合成処理について説明する図である。
【図７】本実施の形態における画像合成処理において用いられるリストデータの一例を表す図である。
【図８】制御部５０で実行されるプログラムによって実現される、画像合成に関する機能を実現する画像合成部２５０の機能的構成を表すブロック図である。
【図９】デジタル複合機３０の制御部５０で実行され、リストデータ取込処理を実現するためのプログラムの制御構造をフローチャート形式で表す図である。
【図１０】図９に示すプログラムを実行時に、表示部９２に表示される表示画面について説明する図である。
【図１１】デジタル複合機３０の制御部５０で実行され、コピーモードにおける動作を実現するためのプログラムの制御構造をフローチャート形式で表す図である。
【図１２】リストデータ取込確認画面４２０を表す図である。
【図１３】デジタル複合機３０の制御部５０で実行され、画像編集の設定を行なうプログラムの制御構造をフローチャート形式で表す図である。
【図１４】図１３に示すプログラムを実行時に、表示部９２に表示される表示画面を表す図である。
【発明を実施するための形態】
【００２８】
本実施の形態に係るデジタル複合機は、読取った原稿画像データに対し、各種情報を付加して原稿画像データをする原稿画像加工機能を有する。デジタル複合機は、原稿画像に付加する情報としてページ情報などデジタル複合機の内部で生成可能な情報の他に、外部から取込んだ情報を用いることができる。
【００２９】
また、デジタル複合機の利用者には、利用者毎に予めユーザＩＤ及びパスワードが発行される。発行されたユーザＩＤ及びパスワードはデジタル複合機に記憶される。デジタル複合機は必要に応じてこれらユーザＩＤ及びパスワードを用いてユーザ認証を行ない、利用者がデジタル複合機の正規の利用者であるか否かの判定、及びユーザ識別を行なう。
【００３０】
以下、本発明の具体的な実施の形態について説明する。以下の説明及び図面においては、同一部品には同じ参照符号および名称を付してある。それらの機能も同様である。したがって、それらについての詳細な説明は繰返さない。
【００３１】
―構成―
図１を参照して、画像処理システム２０は、デジタル複合機３０を含む。デジタル複合機３０は、コピーモード、プリンタモード、及びファクシミリ送信等のイメージ送信モードで動作可能なデジタル複合機である。デジタル複合機３０はＬＡＮ（Ｌｏｃａｌ  Ａｒｅａ  Ｎｅｔｗｏｒｋ）４０、及び電話回線網４４に接続されている。ＬＡＮ４０には情報処理端末３２が接続される。電話回線網４４には外部のファクシミリ装置３８が接続されている。ＬＡＮ４０にはさらに、ゲートウェイ（図示せず）及びインターネット４２を介して外部コンピュータ３４、及びインターネットファクシミリ装置３６（以下ファクシミリ装置３６という）等が接続されている。
【００３２】
デジタル複合機３０は、コピーモード、プリンタモード及び、電話回線網４４を用いたファクシミリ送信と、インターネットを介して画像データを送信するインターネットファクシミリ送信との双方を実行可能なイメージ送信モードのいずれでも動作可能である。デジタル複合機３０はさらに、利用者の操作によりデジタル複合機３０の各種設定を行なうユーザ設定モードでも動作可能である。ユーザ設定モードでは、コピーモードにおいて読取った原稿画像に各種情報を合成するか否かの設定を行なうことができる。また、原稿画像に合成する情報を外部媒体から取込む処理も、ユーザ設定モードから行なうことができる。以下、デジタル複合機３０におけるコピーモード、及びユーザ設定モードについて説明する。
【００３３】
図２を参照して、デジタル複合機３０は、ＣＰＵで構成され、所定のプログラムを実行することによりデジタル複合機３０の全体の制御を行なう制御部５０と、制御部５０に接続されたバス８２と、いずれもバス８２に接続され、制御部５０で実行されるプログラムを記憶するためのＲＯＭ（Ｒｅａｄ−Ｏｎｌｙ  Ｍｅｍｏｒｙ）８０と、制御部５０の一時記憶メモリとして動作するＲＡＭ（Ｒａｎｄｏｍ  Ａｃｃｅｓｓ  Ｍｅｍｏｒｙ）７８と、原稿及び紙データを読取り画像データに変換するための画像読取部５２と、印刷用の画像データを記憶するための印刷データ記憶部７６と、印刷データ記憶部７６に記憶されている画像データ及び各種設定情報を印刷するための画像形成部５４と、画像読取部５２で読取った画像データからテキストデータを抽出するためのＯＣＲ５６と、各種情報を記憶するための記憶部５８と、外部の記録媒体から情報を読取るための外部媒体読取部７４と、利用者からの入力操作を受付けるための操作パネル６０と、画像読取部５２に原稿を搬送し読取らせるための自動原稿搬送装置８８と、画像読取部５２で読取った画像データから送信ファクシミリ用画像データを作成するための画像処理部６２と、読取った画像データを符号化し、受信した符号化データを元の画像データに復号化するための符号化復号化部６６と、受信した符号化された状態の画像データを記憶するための画像蓄積部６４とを含む。
【００３４】
デジタル複合機３０はさらに、ＬＡＮへの接続を提供するためのＬＡＮインターフェイス７２と、電話回線網に接続され回線の制御を行なうための網制御部６８と、電話回線網と接続しファクシミリ通信を行なうためのファクシミリモデム７０とを含む。
【００３５】
記憶部５８は、外部から取込み、原稿画像に付加する情報のリストを記憶するためのリストデータ記憶部８４と、デジタル複合機３０の利用者に対し予め発行されたユーザＩＤ及びユーザＩＤに対応するパスワードを記憶するための認証情報記憶部８６とを含む。外部から取込んだ情報のリスト（以下「リストデータ」と呼ぶ）をリストデータ記憶部８４に記憶するときは、後述するプログラムによって、リストデータを示すリスト名とユーザＩＤとを関連付けて記憶する。
【００３６】
外部媒体読取部７４は、記録媒体に記憶された電子データを読取る。外部媒体読取部７４では、ＦＤ（Ｆｌｅｘｉｂｌｅ  Ｄｉｓｋ）、及びハードディスクなどの磁気ディスク、ＣＤ−ＲＯＭ（Ｃｏｍｐａｃｔ  Ｄｉｓｃ  Ｒｅａｄ−Ｏｎｌｙ  Ｍｅｍｏｒｙ）、及びＤＶＤ（Ｄｉｇｉｔａｌ  Ｖｅｒｓａｔｉｌｅ  Ｄｉｓｃ）などの光ディスクなどの記録媒体が読取可能である。
【００３７】
図３を参照して、原稿読取装置１２０は、デジタル複合機３０の上部に設けられる。原稿読取装置１２０は、自動原稿搬送装置（以下「ＡＤＦ」と呼ぶ）８８と、主走査部１２２とを含む。ＡＤＦ８８と主走査部１２２とはヒンジ（図示せず）によって連結されており、ＡＤＦ８８はヒンジによって主走査部１２２に対して開閉可能となっている。主走査部１２２は、筐体１２４と、透明なガラス板からなる、原稿を載置するためのプラテン板１２６と、筐体１２４内に収容される第１画像読取部１３８とを含む。
【００３８】
主走査部１２２は、利用者が原稿をプラテン板１２６上に載置して原稿の読取を行なう原稿固定方式による画像読取と、ＡＤＦ８８によって自動的に原稿を搬送しながら読取りを行なう原稿移動方式との両読取方式に対応している。
【００３９】
以下、両読取方式の動作について説明しながら、原稿読取装置１２０についての構成を説明する。
【００４０】
第１画像読取部１３８は、原稿に光を照射するための光源１４０と、原稿画像を読取るためのＣＣＤ（Ｃｈａｒｇｅ  Ｃｏｕｐｌｅｄ  Ｄｅｖｉｃｅ）１５０と、原稿の反射光をＣＣＤ１５０へ導くための第１ミラー１４２、第２ミラー１４４、及び第３ミラー１４６と、ＣＣＤ１５０に反射光を結像させるためのレンズ１４８とを含む。第１画像読取部１３８はさらに、光源１４０と第１ミラー１４２とを保持するための光源ユニット１５２と、第２ミラー１４４と第３ミラー１４６とを保持するためのミラーユニット１５４とを含む。
【００４１】
原稿固定方式によって原稿を読取る場合、光源ユニット１５２と、ミラーユニット１５４とは、原稿固定方式に対応したホームポジションにそれぞれ移動する。その後、光源ユニット１５２は原稿に対して光を照射しながら一定の速度で副走査方向（紙面に対して左右方向）に移動して原稿の画像を走査し、それと同時にミラーユニット１５４は、光源ユニット１５２の移動速度の１／２の移動速度で、同じく副走査方向に移動する。
【００４２】
光源ユニット１５２から照射され原稿から反射した光は、光源ユニット１５２に設けられた第１ミラー１４２で反射したのち、ミラーユニット１５４の第２ミラー１４４及び第３ミラー１４６によって１８０°光路変換され、第３ミラー１４６から反射された光はレンズ１４８を介してＣＣＤ１５０に結像し、電気的な画像データに変換される。
【００４３】
また、原稿移動方式によって原稿画像を読取る場合、光源ユニット１５２とミラーユニット１５４とは、図３に示される位置に静止する。そして、ＡＤＦ８８によって静止位置上部を通過するように搬送される原稿に対して光源１４０から光を照射して画像を走査し、原稿の表面側から反射された光は、原稿固定方式と同様に第１ミラー１４２によって反射された後、ミラーユニット１５４内の第２ミラー１４４及び第３ミラー１４６によって１８０°光路変換され、レンズ１４８を介してＣＣＤ１５０に結像し、電気的な画像データに変換される。
【００４４】
ＡＤＦ８８は、原稿載置台１２８と、原稿載置台１２８に載置された原稿を１枚ずつ内部に呼込むための呼込ローラ１３０と、呼込まれた原稿を原稿搬送路に従って搬送するための複数対ある搬送ローラ１３２と、給紙タイミングを調整するためのレジストローラ１３４と、画像読取を終えた原稿を排紙トレイ１８８へ排出するための排紙ローラ１３６とを含む。ＡＤＦ８８はさらに、ＡＤＦ８８の下面に主走査部１２２のプラテン板１２６上に載置された読取原稿を押さえるための押さえ板１８２と、第２画像読取部１６０とを含む。
【００４５】
第２画像読取部１６０は、原稿に光を照射するための光源１６２と、原稿画像を読取るためのＣＣＤ１７４と、原稿の反射光を反射させＣＣＤ１７４へ導くための第１ミラー１６４、第２ミラー１６６、第３ミラー１６８、及び第４ミラー１７０と、ＣＣＤ１７４に反射光を結像させるためのレンズ１７２とを含む。また、第２画像読取部１６０は、１つの装置をなすようにユニット化されており、読取窓１９０を形成するユニット用筐体１８０に収容されている。ユニット化された第２画像読取部１６０は略Ｕ字状に弧を描くＡＤＦ８８の原稿搬送路内に収まるように配置されている。押さえ板１８２は、第２画像読取部１６０の光源１６２に対峙する部分が開放可能な筐体１８６となっている。
【００４６】
なお、第２画像読取部１６０において、光源１６２、レンズ１７２及び、ＣＣＤ１７４は、第１画像読取部１３８を構成する光源１４０、レンズ１４８、ＣＣＤ１５０と同一のものである。
【００４７】
原稿読取装置１２０において、原稿の両面読取の要求がなされた時、ＡＤＦ８８を用いた原稿移動方式では、第１画像読取部１３８が搬送されてきた原稿の表面側の画像を読取り、第２画像読取部１６０が搬送されてきた原稿の裏面側の画像を読取る。具体的には、第１画像読取部１３８によって原稿の表面側の画像が読取られた後、その原稿は原稿搬送路に沿って排紙トレイ１８８へ向けて搬送される間に、第２画像読取部１６０の光源１６２の下部を通過する。この際に、第２画像読取部１６０の光源１６２は原稿の裏面側へ光を照射し、原稿の裏面側から反射された光はガラスなどの透明部材で形成された読取窓１９０を通過し、第１ミラー１６４、第２ミラー１６６、第３ミラー１６８、及び第４ミラー１７０によって順次光路変更された後、レンズ１７２を介してＣＣＤ１７４に結像し、電気的な画像データに変換される。
【００４８】
なお、本実施の形態においては、原稿画像の読取時にはＡＤＦ８８によって自動的に原稿を搬送しながら読取りを行なう原稿移動方式を、その他の紙媒体のデータを読取るときには原稿固定方式を、それぞれ用いるものとする。また、本実施の形態におけるコピーモードでは、原稿の片面読込及び片面印刷の動作について考えるものとする。
【００４９】
図４を参照して、画像形成部５４は、露光ユニットＥ、感光体ドラム２０２（２０２ａ〜２０２ｄ）、現像装置２０４（２０４ａ〜２０４ｄ）、帯電ローラ２０６（２０６ａ〜２０６ｄ）、クリーニングユニット２０８（２０８ａ〜２０８ｄ）、中間転写ベルト１１、１次転写ローラ１３（１３ａ〜１３ｄ）、２次転写ローラ１４、クリーニングユニット１２、定着装置１５、用紙搬送路Ｐ１，Ｐ２，Ｐ３、給紙カセット１６、手差し給紙トレイ１７及び排紙トレイ１８を含む。
【００５０】
画像形成部５４は、ブラック（Ｋ）、シアン（Ｃ）、マゼンタ（Ｍ）、及びイエロー（Ｙ）の４色の各色相に対応した画像データを用いて、画像形成ユニットＰａ〜Ｐｄにおいて画像形成を行なう。ブラックの画像形成ユニットＰａは、感光体ドラム２０２ａ、現像装置２０４ａ、帯電ローラ２０６ａ、転写ローラ１３ａ、及びクリーニングユニット２０８ａを含む。ブラック、シアン、マゼンタ、イエローの４色にそれぞれ対応した画像形成ユニットＰａ、Ｐｂ、Ｐｃ、Ｐｄは、いずれもＰａと同じ構成であり、中間転写ベルト１１の移動方向（副走査方向）に沿って一列に配列されている。
【００５１】
帯電ローラ２０６は、感光体ドラム２０２の表面を所定の電位に均一に帯電させるための接触方式の帯電手段である。
【００５２】
露光ユニットＥは、画像形成ユニットの感光体ドラム２０２にレーザビームを照射し、感光体ドラム２０２上に各色に対応した静電潜像を形成させるためのものである。露光ユニットＥは、半導体レーザ（図示しない）、ポリゴンミラー４、第１反射ミラー７、及び第２反射ミラー８を含む。露光ユニットＥは、ブラック、シアン、マゼンタ及びイエローの各色の画像データによって変調されたレーザビームを、各色に対応した感光体ドラム２０２ａ〜２０２ｄにそれぞれ照射する。レーザビームが照射された感光体ドラム２０２ａ〜２０２ｄの表面には、それぞれ、ブラック、シアン、マゼンタ及びイエローの各色の画像データに応じた静電潜像が形成される。
【００５３】
現像装置２０４は、静電潜像が形成された感光体ドラム２０２の表面にトナーを供給し、感光体ドラム上の静電潜像をトナー像にするためのものである。現像装置２０４ａ〜２０４ｄにはそれぞれ、ブラック、シアン、マゼンタ及びイエローの各色のトナーを収納しており、感光体ドラム２０２ａ〜２０２ｄ上にそれぞれ形成された静電潜像に、対応する色のトナーを供給し、各色のトナー像に顕像化する。
【００５４】
クリーニングユニット２０８は、現像・画像転写後における感光体ドラム２０２上の表面に残留したトナーを除去・回収する。
【００５５】
中間転写ベルト１１は、厚さ１００〜１５０μｍほどのフィルムである。中間転写ベルト１１は、駆動ローラ１１ａ及び従動ローラ１１ｂによりループ状に張架されて感光体ドラム２０２の上方に配置される。中間転写ベルト１１の外周面は、感光体ドラム２０２ａ、２０２ｂ、２０２ｃ、２０２ｄに対向しており、中間転写ベルト１１のループ状内部には、感光体ドラム２０２ａ〜２０２ｄと対向する位置に１次転写ローラ１３ａ〜１３ｄがそれぞれ配置されている。感光体ドラム２０２と１次転写ローラ１３とが対向する場所がそれぞれの感光体ドラムにおける１次転写位置になる。
【００５６】
１次転写ローラ１３は、感光体ドラム２０２の表面に形成された各色のトナー像を、中間転写ベルト１１の外周面に転写するためのものである。１次転写ローラには、トナーの帯電極性と逆極性の１次転写バイアスが印加される。１次転写ローラ１３ａ〜１３ｄは、直径８〜１０ｍｍの金属（例えば、ステンレス）を素材とする軸の表面を、導電性の弾性材（例えば、発泡ウレタン）により被覆されている。１次転写ローラ１３に与えられる逆極性の高電圧は、導電性の弾性材によって中間転写ベルト１１に均一に印加される、
感光体ドラム２０２ａ〜２０２ｄに形成された各色のトナー像は、それぞれの感光体ドラムの１次転写位置で中間転写ベルト１１の外周面に転写される。感光体ドラム２０２ｄ、２０２ｃ、２０２ｂ、２０２ａの順に、それぞれの１次転写位置で各色のトナー像が順次重ねて転写されることによって、中間転写ベルト１１の外周面にフルカラーのトナー像が形成される。
【００５７】
イエロー、マゼンタ、シアン及びブラックの各色の画像データに関して、すべての色の画像データが入力されなかった場合は、４つの感光体ドラム２０２ａ〜２０２ｄで、入力された色の画像データに対応する感光体ドラムのみにおいて、静電潜像及びトナー像の形成が行なわれる。例えば、モノクロ画像形成時には、ブラックに対応した感光体ドラム２０２ａにおいてのみ静電潜像及びトナー像の形成が行なわれ、中間転写ベルト１１の外周面にはブラックのトナー像のみが転写される。
【００５８】
２次転写ローラ１４は、中間転写ベルト１１の外周面に形成されたトナー像を、搬送された記録用紙の表面に転写するためのものである。２次転写ローラ１４は、内周面が駆動ローラ１１ａの周面に接触する中間転写ベルト１１の外周面と、所定のニップ圧で圧接されている。各１次転写位置において中間転写ベルト１１の外周面に転写されたトナー像は、２次転写ローラ１４の対向位置である２次転写位置において、給紙カセット１６又は手差し給紙トレイ１７から給紙された用紙に転写される。具体的には、用紙が２次転写ローラ１４と中間転写ベルト１１との間を通過する際に、２次転写ローラ１４にトナーの帯電極性とは逆特性の高電圧を印加させ、中間転写ベルト１１の外周面から用紙の表面にトナー像を転写させる。
【００５９】
クリーニングユニット１２は、感光体ドラム２０２から中間転写ベルト１１に転写したトナーのうち、用紙に転写されずに中間転写ベルト１１上に残ったトナーを回収するためのものである。残ったトナーを回収することによって次の工程での混色を防止する。
【００６０】
定着装置１５は、用紙の表面に転写されたトナー像を定着させるための装置である。定着装置１５は、加熱ローラ１５ａと、加圧ローラ１５ｂとを含む。トナー像が転写された用紙は、定着装置１５において加熱ローラ１５ａと加圧ローラ１５ｂとの間を通過して加熱及び加圧を受ける。これによってトナー像が用紙の表面に定着する。また、トナー像が定着した用紙は、排紙トレイ１８に排出される。
【００６１】
画像形成部５４は、給紙カセット１６から用紙を１枚ずつ送り出すためのピックアップローラ１６ａと、手差し給紙トレイ１７から用紙を１枚ずつ送り出すためのピックアップローラ１７ａと、送り出された用紙を搬送するための複数の搬送ローラｒと、排紙トレイ１８に用紙を排出するための排紙ローラ１８ａとをさらに含む。
【００６２】
画像形成部５４内部には、給紙カセット１６に収納されている用紙を、２次転写ローラ１４と中間転写ベルト１１との間、及び定着装置１５を経由して排紙トレイ１８へ送るための略垂直方向の用紙搬送路Ｐ１が形成されている。用紙搬送路Ｐ１には、ピックアップローラ１６ａと、複数の搬送ローラｒと、搬送された用紙を所定のタイミングで２次転写ローラ１４と中間転写ベルト１１との間に導くためのレジストローラ１９と、用紙を排紙トレイ１８に排出するための排紙ローラ１８ａとが設置されている。
【００６３】
画像形成部５４内部にはさらに、手差し給紙トレイ１７からレジストローラ１９に至る間にピックアップローラ１７ａ及び搬送ローラｒを配置した用紙搬送路Ｐ２と、排紙ローラ１８ａから用紙搬送路Ｐ１におけるレジストローラ１９の上流側に至る間に、用紙搬送路Ｐ３が形成されている。
【００６４】
排紙ローラ１８ａは、正逆両方向に回転可能なローラである。用紙の片面に画像を形成する片面印刷時、及び用紙の両面に画像を形成する両面印刷時における第２面の画像形成時に、排紙ローラ１８ａは正転方向に駆動して、用紙を排紙トレイ１８に排出する。また、排紙ローラ１８ａは、両面印刷時における第１面の画像形成時には、用紙の後端が定着装置１５を通過するまで正転方向に駆動し、定着装置１５を通過後に用紙の後端部を挟持した状態で逆転方向に駆動して用紙を用紙搬送路Ｐ３内に導く。両面印刷時に第１面のみ印刷された用紙は用紙搬送路Ｐ３を経由し、表裏面及び前後端を反転した状態で用紙搬送路Ｐ１を導かれて第２面の画像が形成される。
【００６５】
レジストローラ１９は、給紙カセット１６又は手差し給紙トレイ１７から給紙された用紙、及び用紙搬送路Ｐ３を経由して搬送された用紙を、中間転写ベルト１１の回転に同期したタイミングで２次転写ローラ１４と中間転写ベルト１１との間に導くためのローラである。レジストローラ１９は、感光体ドラム２０２及び中間転写ベルト１１の動作開始時には回転を停止しており、中間転写ベルト１１の回転に先立って給紙された用紙は、前端をレジストローラ１９に当接させた状態で用紙搬送路Ｐ１内における移動を停止する。この後、レジストローラ１９は、２次転写ローラ１４と中間転写ベルト１１とが圧接する位置で、用紙の前端部と中間転写ベルト１１上に形成されたトナー像の前端部とが対向するタイミングで回転を開始し、用紙を送りだす。
【００６６】
図５を参照し、操作パネル６０は、各種ハードウェアキーからなる操作部９０と、液晶ディスプレイ及びタッチパネルにより構成される表示部９２とを含む。操作部９０は、数値入力のためのテンキー９４と、入力した設定値をクリアするためのクリアキー９６と、入力した各種設定を全解除するための全解除キー９８と、コピー開始、及び送信開始等の指示を入力するスタートキー１００と、デジタル複合機３０をプリンタモードに切替えるプリンタキー１０２と、イメージ送信モードに切替えるイメージモードキー１０４と、コピーモードに切替えるコピーモードキー１０６と、ユーザ設定モードに切替えるユーザ設定キー１０８とを含む。表示部９２は、液晶ディスプレイに重畳して配置されるタッチパネルによって、利用者からの入力操作を受付ける。
【００６７】
ユーザ設定モードでは、コピーモードにおいて読取った原稿画像に各種情報を合成するか否かの設定を行なう。情報を合成するか否かの設定は、コピーモードの動作を実行する前に行なう。また、原稿画像に合成するリストデータの取込処理も、ユーザ設定モードから行なうことができる。リストデータの取込処理は、コピーモードの動作前、又は後述するコピーモードの動作プログラムにおいて、リストデータの取込を指示した時に行なうことができる。
【００６８】
図６を参照して、図６（Ａ）は、コピーモードにおける原稿として取込まれた原稿画像２２０を表す図である。図６（Ｂ）は、原稿画像２２０の上部に情報を合成した情報合成画像２３０を表す図である。図６（Ｂ）を参照して、情報合成画像２３０は各種情報を合成するための情報合成領域２３２を含む。
【００６９】
図７を参照して、図７に示すリストデータは、リストデータに含まれるレコードを識別するための識別番号と識別番号に対応するレコード内容（図７の例では「会社名／担当者」）とで構成され、複数のレコード（図７の例では７レコード）を含む。デジタル複合機３０へのリストデータ取込みの詳細については後述するが、本実施の形態においてリストデータは、リストデータの内容が書かれた紙（以下「紙データ」と呼ぶ）、又はリストデータを記録した記録媒体を用いて取込むこととする。
【００７０】
図８を参照して、デジタル複合機３０において画像合成に関する機能を実現する画像合成部２５０は、読取った原稿の画像データを記憶するための原稿画像記憶部２５６と、利用者からユーザＩＤ及びパスワードの入力操作を受付け、ユーザ認証を行なうための認証部２５２と、利用者からの入力操作を受け、認証を受けたユーザＩＤに関連付けて記憶されているリストデータを選択するための選択部２５４と、原稿画像記憶部２５６に記憶されている原稿の画像データに対し、選択部２５４で選択されたリストデータの情報を合成するための合成編集部２５８とを含む。合成編集部２５８で合成された原稿の画像データは、合成画像データとして出力され、デジタル複合機３０において処理される。
【００７１】
図９を参照して、ユーザ設定モードにおいてリストデータ登録処理が選択された時に実行されるこのプログラムは、リストデータ登録画面を表示させるステップ（以下単に「Ｓ」と記載する。）２０２と、Ｓ２０２に続いて実行され、利用者からの読込方法の入力を受けるＳ２０４と、Ｓ２０４に続いて実行され、ＯＫボタン３５６が押されたか否かを判定し、判定結果に応じて制御の流れを分岐させるＳ２０６とを含む。Ｓ２０６でＯＫボタン３５６が押されていない（ＮＯ）場合、すなわちキャンセルボタン３５８が押されたと判定された場合、このプログラムは終了する。
【００７２】
図１０を参照して、図１０（Ａ）はリストデータ選択画面３５０である。リストデータ選択画面３５０は、図９に示すプログラムでＳ２０２が実行された時に表示部９２に表示される。図１０（Ａ）を参照して、リストデータ選択画面３５０は、紙データからのリストデータの読込を選択するための表示３５２と、電子データからのリストデータの読込みを選択するための表示３５４と、ＯＫボタン３５６と、キャンセルボタン３５８とを含む。リストデータの読込方法は、表示３５２又は表示３５４をタッチすることにより、択一的に選択される。また、選択画面３５０が表示された時は予め表示３５２が選択されているものとする。
【００７３】
再び図９を参照して、このプログラムはさらに、Ｓ２０６でＯＫボタン３５６が押された（ＹＥＳ）と判定された時に実行され、選択画面３５０で紙データからのデータ読込が選択されたか否かを判定し、判定結果に応じて制御の流れを分岐させるＳ２０８と、Ｓ２０８で紙データからのデータ読込が選択されている（ＹＥＳ）と判定された時に実行され、紙データが原稿読取部５２にセットされているか否かを判定し、判定結果に応じて制御の流れを分岐させるＳ２１０と、Ｓ２１０でセットされた（ＹＥＳ）と判定された時に実行され、スタートボタン１００が押されたか否かを判定し、判定結果に応じて制御の流れを分岐させるＳ２１２と、Ｓ２１２でスタートボタン１００が押された（ＹＥＳ）と判定された場合に実行され、紙データを画像読取部５２で読取るＳ２１４と、Ｓ２１４に続いて実行され、Ｓ２１４で読取った画像データにＯＣＲ５６を用いてテキストデータを抽出するＳ２１６と、Ｓ２１６に続いて実行され、Ｓ２１６で読取ったテキストデータを確認するためのプレビュー画面３７０を表示するＳ２１８とを含む。Ｓ２１０で紙データがセットされていない（ＮＯ）と判定された場合、制御はＳ２１０に戻る。Ｓ２１２でスタートボタンが押されていない（ＮＯ）と判定された場合、制御はＳ２１０に戻る。
【００７４】
このプログラムはさらに、Ｓ２０８で紙データからのデータ読込が選択されていない（ＮＯ）と判定された場合、すなわち電子データからのデータ読込が選択された場合に実行され、外部媒体読取部７４に記録媒体がセットされたか否かを判定し、判定結果に応じて制御の流れを分岐させるＳ２５２と、Ｓ２５２で記録媒体がセットされた（ＹＥＳ）と判定された場合に実行され、スタートボタン１００が押されたか否かを判定し、判定結果に応じて制御の流れを分岐させるＳ２５６と、Ｓ２５６でスタートボタン１００が押された（ＹＥＳ）と判定された場合に実行され、記録媒体内に記録されているファイル一覧を表示部９２にリスト表示し、その中から所望のファイルを選択するＳ２５８と、Ｓ２５８に続いて実行され、Ｓ２５８で選択されたファイルの内容を確認するためのプレビュー画面３７０を表示するＳ２６０とを含む。Ｓ２５２で、記録媒体がセットされていない（ＮＯ）と判定された場合、制御はＳ２５２に戻る。Ｓ２５６でスタートボタン１００が押されていない（ＮＯ）と判定された場合、制御はＳ２５２に戻る。
【００７５】
再び図１０を参照して、図１０（Ｂ）はプレビュー画面３７０である。プレビュー画面３７０は、図９に示すプログラムでＳ２６０が実行された時に表示される。図１０（Ｂ）を参照して、プレビュー画面３７０は、Ｓ２５８で選択したファイルの内容を示すプレビュー表示部３７２と、表示された内容を確認して、表示されたファイルを登録ファイルとして決定するための決定ボタン３７４と、決定されたファイルをリストデータに登録するための登録ボタン３７６と、キャンセルボタン３７８とを含む。Ｓ２６０が実行され、プレビュー画面３７０が表示される時は、決定ボタン３７４とキャンセルボタン３７８とが有効となっており、登録ボタン３７６はグレーアウト表示で無効化されている。この状態で決定ボタン３７４が押され登録ファイルを決定すると、登録ボタン３７６の表示が変わり選択可能になる。この時、プレビュー画面３７０は、登録ボタン３７６とキャンセルボタン３７８とが有効となり、決定ボタン３７４はグレーアウト表示になって無効化される。
【００７６】
プレビュー画面３７０が、図９に示すプログラムのＳ２１８が実行時に表示されるときは、Ｓ２６０で表示される時と表示される内容が異なる。プレビュー表示部３７２には、Ｓ２１６で作成されたテキストデータの内容が表示される。また、Ｓ２１８で表示される時は、決定ボタン３７４が予めグレーアウト表示で無効化されており、登録ボタン３７６とキャンセルボタン３７８とが有効で選択可能となっている。
【００７７】
再び図９を参照して、このプログラムはさらに、Ｓ２１８に続いて実行され、登録ボタン３７６が押されたか否かを判定し、判定結果に応じて制御の流れを分岐させるＳ２２０と、Ｓ２２０で登録ボタン３７６が押された（ＹＥＳ）と判定された場合に実行され、リストデータ登録画面３８０を表示し、利用者からリスト名、ユーザＩＤ、及びパスワードの入力を受けるＳ２２４と、Ｓ２２４に続いて実行され、ＯＫボタン３８８が押されたか否かを判定し、判定結果に応じて制御の流れを分岐させるＳ２２５と、Ｓ２２５でＯＫボタンが押された（ＹＥＳ）と判定された場合に実行され、リストデータ登録画面３８０で入力された内容が正しいか否かを判定し、判定結果に応じて制御の流れを分岐させるＳ２２６と、Ｓ２２６で入力された内容が正しくない（ＮＯ）と判定された場合に実行され、正しくない内容を示すエラーメッセージを表示し、制御をＳ２２４に戻すＳ２２８と、Ｓ２２６で入力された内容が正しい（ＹＥＳ）と判定された場合に実行され、当該リストデータにリストデータ登録画面３８０で入力されたリスト名を付け、入力されたユーザＩＤと関連付けて記憶部５８のリストデータ記憶部８４に登録するＳ２３０とを含む。Ｓ２３０を実行後、このプログラムは終了する。Ｓ２２０で登録ボタン３７６が押されていない（ＮＯ）と判定された場合、すなわちキャンセルボタン３７８が押された場合は、リストデータを登録せずにこのプログラムを終了する。Ｓ２２５でＯＫボタン３８８が押されていない（ＮＯ）と判定された場合、すなわち、キャンセルボタン３９０が押された場合は、リストデータを登録せずにこのプログラムを終了する。
【００７８】
このプログラムはさらに、Ｓ２６０に続いて実行され、決定ボタン３７４が押されたか否かを判定し、判定結果に応じて制御の流れを分岐させるＳ２６２と、Ｓ２６２で決定ボタン３７４が押された（ＹＥＳ）と判定された場合に実行され、登録ボタン３７６が押されたか否かを判定し、判定結果に応じて制御の流れを分岐させるＳ２６４と、登録ボタン３７６が押された（ＹＥＳ）と判定された場合に実行され、リストデータ登録画面３８０を表示し、利用者からリスト名、ユーザＩＤ、及びパスワードの入力を受けるＳ２６６と、Ｓ２６６に続いて実行され、ＯＫボタン３８８が押されたか否かを判定し、判定結果に応じて制御の流れを分岐させるＳ２６７と、Ｓ２６７でＯＫボタン３８８が押された（ＹＥＳ）と判定された場合に実行され、リストデータ登録画面３８０で入力された内容が正しいか否かを判定し、判定結果に応じて制御の流れを分岐させるＳ２６８と、Ｓ２６８で入力された内容が正しくない（ＮＯ）と判定された場合に実行され、正しくない内容を示すエラーメッセージを表示し、制御をＳ２６６に戻すＳ２７０と、Ｓ２６８で入力された内容が正しい（ＹＥＳ）と判定された場合に実行され、当該リストデータにリストデータ登録画面３８０で入力されたリスト名を付け、入力されたユーザＩＤと関連付けて記憶部５８のリストデータ記憶部８４に登録するＳ２７２とを含む。Ｓ２７２を実行後、このプログラムは終了する。Ｓ２６２で決定ボタン３７４が押されていない（ＮＯ）と判定された場合、すなわちキャンセルボタン３７８が押された場合、制御はＳ２５８に戻りファイル名を再度選択する。Ｓ２６４で登録ボタン３７６が押されていない（ＮＯ）と判定された場合、すなわちキャンセルボタン３７８が押された場合は、リストデータを登録せずにプログラムを終了する。Ｓ２６７でＯＫボタンが押されていない（ＮＯ）と判定された場合、すなわちキャンセルボタン３９０が押された場合は、リストデータを登録せずにプログラムを終了する。
【００７９】
Ｓ２２６及びＳ２６８における入力内容が正しいかの判定は、以下の２つの条件を用いて判定される。１つ目の条件は、入力されたリスト名が記憶部５８のリストデータ記憶部８４に記憶されているリストデータのリスト名と重複していないかである。入力されたリスト名が重複した場合は、入力内容が正しくないと判定し、エラー表示を行なう。もう１つの条件は、入力されたユーザＩＤ及びパスワードを参照し、記憶部５８の認証情報記憶部８６に登録されているユーザＩＤ及びパスワードと一致するかである。入力されたユーザＩＤ及びパスワードが一致しない場合は、入力内容が正しくないと判定し、エラー表示を行なう。Ｓ２２６及びＳ２６８では以上２つの条件について判定し、ともに条件を満たした時に入力内容が正しいと判定される。
【００８０】
また、図９に示すプログラムでは、リストデータのリスト名とユーザＩＤとが関連付けられて記憶部５８に記憶される。本実施の形態においては、記憶部５８に記憶されたリストデータは、リストデータに関連付けられたユーザＩＤをもつユーザにのみ利用許可が与えられるものとする。後述するリストデータを参照するプログラムにおいては、ユーザは利用許可が与えられたリストデータのみを利用することができるものとする。
【００８１】
再び図１０を参照して、図１０（Ｃ）はリストデータ登録画面３８０である。リストデータ登録画面３８０は、図９に示すプログラムで、Ｓ２２４又はＳ２６６が実行された時に表示部９２に表示される。図１０（Ｃ）を参照して、リストデータ登録画面３８０は、登録するリストデータに付けるリスト名を入力するためのテキストボックス３８２と、利用者のユーザＩＤを入力するためのテキストボックス３８４と、ユーザＩＤに対応するパスワードを入力するためのテキストボックス３８６と、テキストボックス３８２及びテキストボックス３８４に入力した内容でリストデータを登録するためのＯＫボタン３８８と、キャンセルボタン３９０とを含む。テキストボックス３８２、３８４、及び３８６への入力は、それぞれのテキストボックスに触れて文字入力状態にし、操作パネルのテンキー、又は別途表示されるソフトキーボードを用いて入力する。利用者は各テキストボックスに情報を入力後、ＯＫボタン３８８、又はキャンセルボタン３９０を押すこととする。
【００８２】
図１０（Ｄ）は、Ｓ２２６における入力内容の判定において、入力したリスト名が記憶されているリスト名と重複したために入力内容が正しくないと判定された時に、Ｓ２２８で表示されるエラー表示例を含んだリストデータ登録画面３８０の例である。図１０（Ｄ）の表示例では、入力したリスト名「Ａ」が既に登録されている旨を表すエラー表示４０２を含む。図１０（Ｄ）では、リスト名が重複した場合のエラー表示例を示したが、上記した通りユーザＩＤ及びパスワードが登録情報と一致しない場合はその旨のエラー表示がされる。また、テキストボックス３８２〜３８６の入力内容によっては、リスト名に関するエラーとユーザＩＤに関するエラーとの両方のエラーメッセージが表示される。このエラー表示は、Ｓ２６８における入力判定において入力内容が正しくないと判定された時に実行される、Ｓ２７０でも同様に表示される。
【００８３】
図１１を参照して、デジタル複合機３０でコピーモードが選択された時に実行されるこのプログラムは、コピー枚数設定などコピーモードにおける設定の入力を受けるＳ３０１と、Ｓ３０１に続いて実行され、ＡＤＦ８８に原稿がセットされたか否かを判定し、判定結果に応じて制御の流れを分岐させるＳ３０２と、Ｓ３０２で原稿がセットされた（ＹＥＳ）と判定された場合に実行され、スタートボタン１００が押されたか否かを判定し、判定結果に応じて制御の流れを分岐させるＳ３０４と、Ｓ３０４でスタートボタン１００が押された（ＹＥＳ）と判定された場合に実行され、ＡＤＦ８８を動作させ画像読取部５２で原稿を読取り、読取った原稿の印刷画像データを印刷データ記憶部７６に、読取った原稿枚数の情報を記憶部５８にそれぞれ記憶するＳ３０６と、Ｓ３０６に続いて実行され、コピーモードの設定が画像編集を行なう設定になっているか否かを判定し、判定結果に応じて制御の流れを分岐させるＳ３０８と、Ｓ３０８で画像編集を行なう設定になっている（ＹＥＳ）と判定された場合に実行され、リストデータ取込確認画面４２０を表示し、利用者からの入力を受けるＳ３１０と、Ｓ３１０に続いて実行され、リストデータ取込確認画面４２０においてリストデータの取込指示の入力を受けたか否かを判定し、判定結果に応じて制御の流れを分岐させるＳ３１２と、Ｓ３１２で取込指示の入力を受けた（ＹＥＳ）と判定された場合に実行され、リストデータ取込処理を行なうＳ３１４と、Ｓ３１４実行後、又はＳ３１２で取込指示の入力を受けなかった（ＮＯ）と判定された場合に実行され、画像編集の設定を行なうＳ３１６と、Ｓ３１６に続いて実行され、Ｓ３１６で設定された編集設定情報と読取った原稿の印刷画像データとを用いて編集画像を作成し、印刷データ記憶部７６に保存されている印刷画像データに上書き保存するＳ３１８と、Ｓ３１８実行後、又はＳ３０８で画像編集を行なう設定ではない（ＮＯ）と判定された場合に実行され、印刷データ記憶部７６に記憶されている印刷画像データを、Ｓ３０１で入力されたコピーモードの設定にしたがって印刷を行なうＳ３２０とを含む。Ｓ３０２で原稿がセットされていない（ＮＯ）と判定された場合は、制御はＳ３０１に戻る。Ｓ３０４でスタートボタン１００が押されていない（ＮＯ）と判定された場合は、制御はＳ３０１に戻る。また、Ｓ３１６の詳細な動作については後述する、
このプログラムにおいて、Ｓ３１４では、図９に示したプログラムと類似のプログラムが実行される。Ｓ３１４では、図９のプログラムがサブルーチンプログラムとして動作し、プログラム実行後、メインプログラムを終了せずに制御をＳ３１６に進める。
【００８４】
Ｓ３１８では、Ｓ３１６で設定された編集設定情報にしたがって編集画像を作成する。作成した編集画像は、印刷データ記憶部７６に記憶されている印刷画像データと置換えられる。編集設定情報で、原稿のある場所に対して、リストデータから選択された複数個の情報を合成するように設定された場合は、編集設定情報にしたがって印刷画像データに対して選択されたデータを１つずつ合成し、選択された個数分の編集画像を作成して、印刷データ記憶部７６に記憶する。また、編集設定情報が破棄されて設定情報が何もない場合は、編集画像の生成を行なわず、印刷データ記憶部７６の印刷画像データの更新を行なわない。
【００８５】
図１２のリストデータ取込確認画面４２０は、図１１に示すプログラムのＳ３１０が実行されたとき表示部９２に表示される。図１２を参照して、リストデータ取込確認画面４２０は、リストデータの取込指示を入力するためのボタン４２２と、リストデータの取込みをしないことを入力するためのボタン４２４とを含む。Ｓ３１０においてボタン４２２が押されると、Ｓ３１２でＹＥＳと判定される。同様に、ボタン４２４が押されるとＳ３１２でＮＯと判定される。
【００８６】
図１３を参照して、図１１で示すプログラムのＳ３１６で実行されるこのプログラムは、画像編集に関する編集設定情報を初期化するＳ４０２と、Ｓ４０２に続いて実行され、編集設定画面４４０を表示するＳ４０４と、Ｓ４０４に続いて実行され、編集設定画面４４０で利用者から編集設定情報の入力を受けるＳ４０６とを含む。
【００８７】
図１４を参照して、図１４（Ａ）は、Ｓ４０４が実行された時に表示される編集設定画面４４０を表す図である。図１４（Ａ）を参照して、編集設定画面４４０は、原稿画像に日付情報を合成するように設定するためのボタン４４２と、原稿画像に所定のマークを合成するように設定するためのボタン４４４と、原稿画像にページ数の表記を合成するように設定するためのボタン４４６と、原稿画像に外部から取込んだリストデータの情報を合成するように設定するためのリストボタン４４８と、ボタン４４２〜ボタン４４６及びリストボタン４４８で設定する情報を、原稿画像の各ページに合成するか否かを設定するためのチェックボタン４５０とを含む。編集設定画面４４０はさらに、読取った原稿の向きを示す配置表示４６０と、ボタン４４２〜ボタン４４６、及びリストボタン４４８で設定する各種情報及び画像を、原稿に対してどの位置に合成するかを設定するための配置ボタン４６２、４６４、４６６、４６８、４７０、及び４７２と、設定した編集設定情報を確定するためのＯＫボタン４７４と、編集設定情報を確定せずに終了するためのキャンセルボタン４７６とを含む。
【００８８】
図１４（Ａ）の編集設定画面４４０においては、配置ボタン４６２〜配置ボタン４７２で決定される位置に対して、ボタン４４２〜ボタン４４６及びリストボタン４４８で設定される情報のいずれをあてはめるかという方式で編集情報が設定される。そのため、配置ボタンで設定される１つの位置に対しては１種類の情報が配置される。また、チェックボタン４５０は、読取った原稿が複数枚のときに、設定した情報を先頭のページにのみ合成するのか、又は読取った原稿全てのページに印刷するのかを設定する。編集設定画面４４０における編集設定情報の設定は、各ボタン及びチェックボックスに触れることで行なう。ボタンに触れると選択されたボタンは表示色が変わる。図１４（Ａ）では、配置ボタン４６２が選択されている状態を示している。例えばここで、ボタン４４２を押せば配置ボタン４６２の場所に日付情報が合成されるように設定される。また、チェックボタン４５０に関しては表示に触れるとチェックが入る。チェックが入っている時は原稿画像の全てのページに、チェックが入っていない時は先頭ページのみに設定情報を合成するように設定にされる。
【００８９】
再び図１３を参照して、このプログラムはさらに、Ｓ４０６に続いて実行され、編集設定画面４４０において、リストボタン４４８が押されたか否かを判定し、判定結果に応じて制御の流れを分岐させるＳ４０８と、Ｓ４０８でリストボタン４４８が押されていない（ＮＯ）と判定された場合に実行され、ＯＫボタン４７４が押されたか否かを判定し、判定結果に応じて制御の流れを分岐させるＳ４４０と、Ｓ４４０でＯＫボタン４７４が押されていない（ＮＯ）と判定された場合に実行され、キャンセルボタン４７６が押されたか否かを判定し、判定結果に応じて制御の流れを分岐させるＳ４５０と、Ｓ４０８でリストボタン４４８が押された（ＹＥＳ）と判定された場合に実行され、ユーザ認証画面４９０を表示し、利用者からユーザＩＤ及びユーザＩＤに対応するパスワードの入力を受けるＳ４１０とを含む。Ｓ４５０でキャンセルボタン４７６が押されていない（ＮＯ）と判定された場合、制御はＳ４０６に戻る。
【００９０】
再び図１４を参照して、図１４（Ｂ）はユーザ認証画面４９０である。ユーザ認証画面４９０は、図１３に示すプログラムのＳ４１０が実行された時に表示部９２に表示される。図１４（Ｂ）を参照して、ユーザ認証画面４９０は、利用者がユーザＩＤを入力するためのテキストボックス４９２と、ユーザＩＤに対応したパスワードを入力するためのテキストボックス４９４と、ＯＫボタン４９６と、キャンセルボタン４９８とを含む。図１４（Ｃ）は、リスト名入力画面５００である。リスト名入力画面５００は、図１３に示すプログラムでＳ４２０が実行された時に表示部９２に表示される。図１４（Ｃ）を参照し、リスト名入力画面５００は、利用者が呼びだしたいリストデータのリスト名を入力するためのテキストボックス５０２と、ＯＫボタン５０４と、キャンセルボタン５０６とを含む。テキストボックス４９２、４９４、及び５０２への入力は、テキストボックスに触れて文字入力状態にし、操作パネルのテンキー、又は別途表示されるソフトキーボードを用いて行なう。利用者はユーザ認証画面４９０及びリスト名入力画面５００において、テキストボックスに入力後、ＯＫボタン、又はキャンセルボタンを押すこととする。
【００９１】
再び図１３を参照し、このプログラムはさらに、Ｓ４１０に続いて実行され、ＯＫボタン４９６が押されたか否かを判定し、判定結果に応じて制御の流れを分岐させるＳ４１２と、Ｓ４１２でＯＫボタン４９６が押された（ＹＥＳ）と判定された場合に実行され、テキストボックス４９２及び４９４にそれぞれ入力されたユーザＩＤ及びパスワードが正しいか否かを判定し、判定結果に応じて制御の流れを分岐させるＳ４１４と、Ｓ４１４で入力されたユーザＩＤ及びパスワードが正しくない（ＮＯ）と判定された場合に実行され、「入力されたユーザＩＤ及びパスワードは正しくない」という旨のエラーメッセージを表示し、制御をＳ４１０に戻すＳ４１６と、Ｓ４１４で入力されたユーザＩＤ及びパスワードが正しい（ＹＥＳ）と判定された場合に実行され、Ｓ４１０で入力した利用者を、入力されたユーザＩＤを持つ正規のユーザとして認証するＳ４１８とを含む。Ｓ４１２でＯＫボタン４９６が押されていない（ＮＯ）と判定された場合、すなわちキャンセルボタン４９８が押された場合、制御はＳ４０４に戻る。
【００９２】
このプログラムはさらに、Ｓ４１８に続いて実行され、リスト名入力画面５００を表示し、利用者から使用するリスト名の入力を受けるＳ４２０と、Ｓ４２０に続いて実行され、ＯＫボタン５０４が押されたか否かを判定し、判定結果に応じて制御の流れを分岐させるＳ４２２と、Ｓ４２２でＯＫボタン５０４が押された（ＹＥＳ）と判定された場合に実行され、入力されたリスト名のリストデータに対して認証されたユーザに利用許可があるか否かを判定し、判定結果に応じて制御の流れを分岐させるＳ４２４と、Ｓ４２４で利用許可がない（ＮＯ）と判定された場合に実行され、「ユーザに対して入力されたリストの使用は許可されていない」という旨のエラーメッセージを表示して、制御をＳ４２０に戻すＳ４２６とを含む。Ｓ４２２でＯＫボタン５０４が押されていない（ＮＯ）と判定された場合、すなわちキャンセルボタン５０６が押された場合、制御はＳ４０４に戻る。
【００９３】
本実施の形態においては、リストデータを登録する際に、リスト名に関連付けて登録したユーザＩＤを持つユーザのみが、該リストデータに対する利用許可を有するものとする。すなわち、Ｓ４２４において、入力されたリスト名のリストデータに対してユーザに利用許可があると判定される場合は、Ｓ４１８で認証されたユーザの持つユーザＩＤが、リストデータのリスト名に関連付けて登録されたユーザＩＤと一致する場合である。
【００９４】
このプログラムはさらに、Ｓ４２４で、入力されたリスト名のリストデータに対して該ユーザに利用許可がある（ＹＥＳ）と判定された場合に実行され、リスト内容表示画面５２０を表示するＳ４２８と、Ｓ４２８に続いて実行され、リスト内容表示画面５２０において、利用者からの表示する項目の選択入力を受けるＳ４３０と、Ｓ４３０に続いて実行され、ＯＫボタン５３０が押されたか否かを判定し、判定結果に応じて制御の流れを分岐させるＳ４３２と、Ｓ４３２でＯＫボタン５３０が押された（ＹＥＳ）と判定された場合に実行され、リスト内容表示画面５２０で選択された項目及び項目数を表示リスト項目として確定し、編集設定情報に表示リスト項目情報として追加するＳ４３４とを含む。Ｓ４３２でＯＫボタン５３０が押されていない（ＮＯ）と判定された場合は、制御はＳ４３０に戻る。Ｓ４３４実行後、制御はＳ４０４に戻る。
【００９５】
図１４を参照し、図１４（Ｄ）はリスト内容表示画面５２０である。リスト内容表示画面５２０は、図１３に示すプログラムのＳ４２８が実行された時に表示部９２に表示される。図１４（Ｄ）を参照し、リスト内容表示画面５２０は、リスト名表示５２２と、リストデータの内容を表示する内容表示５２４と、全選択ボタン５２６と、内容表示５２４の表示をスクロールさせるためのスクロールボタン５２８と、ＯＫボタン５３０とを含む。内容表示５２４は、表示の上部を触れることでその項目を選択する。また、テンキー９４により項目番号を入力することでも選択可能である。項目は複数個選択することが可能である。リスト内容表示５２４に表示されない項目はスクロールボタン５２８を用いてリスト表示の内容を変更することができる。また、全選択ボタン５２６を押すとリストデータの内容を全て選択する。図１４（Ｄ）の例では、項目番号２の項目と項目番号５の項目とが選択されている。
【００９６】
このプログラムはさらに、Ｓ４４０でＯＫボタン４７４が押された（ＹＥＳ）と判定された場合に実行され、Ｓ４０６及びＳ４３４で設定された編集設定情報を確定し、制御を図１１に示すプログラムのＳ３１８に進めるＳ４４２と、Ｓ４５０でキャンセルボタン４７６が押された（ＹＥＳ）と判定された場合に実行され、Ｓ４０６及びＳ４３４で設定された編集設定情報を破棄して、制御を図１１に示すプログラムのＳ３１８に進めるＳ４５２とを含む。
【００９７】
―動作―
本実施の形態に係るデジタル複合機３０は、画像読取部５２で読取った原稿データに対し、日付などの情報を合成できる機能を有している。また、デジタル複合機３０は、外部からリストデータを取込み、その内容を原稿画像に合成することができる。また、デジタル複合機３０の利用者には予めユーザＩＤ及びパスワードが割当てられ、これらを用いて正規の利用者であるかを判定する。
【００９８】
デジタル複合機３０は、原稿画像に合成するためのリストデータを事前に取込み、登録することができる。デジタル複合機３０は、ユーザ設定モードにてリストデータ登録が選択されると、紙データで作成されたリストデータを取込むか、電子データで作成されたリストデータを取込むかの入力を受ける（Ｓ２０４）。紙データからの取込みが選択された場合は、画像読取部５２にセットされた紙データを読込む（Ｓ２１４）。デジタル複合機３０は、読込んだ紙データの画像データにＯＣＲを用いてテキストデータを抽出し（Ｓ２１６）、プレビュー表示にて内容を表示する（Ｓ２１８）。利用者により内容が確認され、そのリストデータを登録する場合には、リスト名、及び利用者のユーザＩＤ、パスワードの入力を受け、リスト名とユーザＩＤとを関連付けて登録する（Ｓ２３０）。
【００９９】
電子データからの取込みが選択された場合は、記録媒体に記録された電子データからリストデータを取込む。デジタル複合機３０は、外部媒体読取部７４に記録媒体がセットされると（Ｓ２５２）、記録媒体を読取り、記憶されているデータ名を一覧表示する（Ｓ２５８）。利用者によりデータ名の一覧表示からファイルを選択されると、プレビュー表示にて内容を表示する（Ｓ２６０）。利用者によりファイルの内容が確認され、表示したファイルがリストデータとして登録される場合には、登録ファイルを決定するために決定ボタンが押され（Ｓ２６２）、登録ボタンが押される（Ｓ２６４）。その後、登録するリストデータのリスト名、及び利用者のユーザＩＤ、パスワードの入力を受け、リスト名とユーザＩＤとを関連付けて登録する（Ｓ２７２）。
【０１００】
デジタル複合機３０は、コピーモードで以下のように動作する。
【０１０１】
デジタル複合機３０は、原稿画像に対して画像編集を行なうか否かの設定は、利用者によりコピーモードでの動作前にユーザ設定モードで予め設定される。
【０１０２】
デジタル複合機３０は、コピー枚数などのコピーモードの設定を受け（Ｓ３０１）、ＡＤＦ８８に原稿がセットされ、スタートボタン１００が押されると、ＡＤＦ８８で搬送された原稿を画像読取部５２で読取り、読取原稿枚数と印刷画像データとを記憶する（Ｓ３０６）。印刷画像データは、印刷データ記憶部７６に記憶する。原稿読取後、画像編集を行なう設定であるかを判定し、画像編集を行なわない設定（Ｓ３０８でＮＯ）の場合は、デジタル複合機３０は印刷データ記憶部７６に記憶した印刷画像データを、入力されたコピーモードの設定にしたがって印刷する（Ｓ３２０）。
【０１０３】
画像編集を行なう設定である場合は、リストデータを取込むか否かの入力を受け（Ｓ３１２）、取込むと入力された場合は上記した手順でリストデータを取込む（Ｓ３１４）。リストデータ取込後、又はリストデータの取込まないと入力を受けた場合は、編集設定画面を表示し画像編集を行なうための編集設定情報の入力を受ける（Ｓ３１６）。
【０１０４】
編集設定情報は、日付、ページ数などの各種情報を、原稿のどの位置に配置するかを記録した情報である。登録したリストデータを用いて画像編集の設定を行なう場合、利用者は編集設定画面においてリストボタンを押す。デジタル複合機３０は、リストボタンが押されると（Ｓ４０８でＹＥＳ）、表示部９２にユーザ認証画面を表示し、利用者からユーザＩＤ及びパスワードの入力を受け、ユーザ認証を行なう。入力されたユーザＩＤ及びパスワードが、予めユーザに割当てられたＩＤ及びパスワードと一致するときは、利用者をそのユーザＩＤを持つ正規の利用者として認証する（Ｓ４１４、Ｓ４１８）。ユーザ認証実行後、リスト名入力画面を表示し、利用者は利用したいリストデータのリスト名の入力する（Ｓ４２０）。デジタル複合機３０は、入力されたリスト名と認証されたユーザとを確認し、利用許可がある場合はリスト内容表示画面５２０を表示する（Ｓ４２８）。利用許可がない場合はエラーメッセージを表示して（Ｓ４２６）、リスト名の再入力を促す。
【０１０５】
デジタル複合機３０は、リスト内容表示画面５２０において、利用者からリストの内容からどのデータを表示するかの入力を受ける。リスト内容表示画面５２０で、利用者からリスト上のデータの選択動作を受けると、デジタル複合機３０は、そのデータを表示データとして設定する（Ｓ４３０）。また、リストからの表示データは複数選択することができ、リスト内のデータを全選択することも可能である。ＯＫボタンの入力を受けると（Ｓ４３２）、リスト内容表示画面で設定された表示データの内容と設定された表示データの個数とを確定し、編集設定情報に表示リスト項目情報として追加する（Ｓ４３４）。また、編集設定画面においてＯＫボタンが押されると、入力を受けた編集設定情報を確定する（Ｓ４４２）。キャンセルボタンが押されると、入力を受けた編集設定情報を破棄する（Ｓ４５２）。
【０１０６】
デジタル複合機３０は、Ｓ３１６で設定された編集設定情報にしたがって編集画像を作成する（Ｓ３１８）。
【０１０７】
編集画像の作成は、印刷データ記憶部に記憶された印刷画像データに対して行なわれ、編集設定情報にしたがって各種情報を設定された位置に合成する。また、編集設定情報には、原稿画像の各ページに情報を合成するかの設定がある。例えば、読取った原稿１部の原稿画像データが４ページ分あった時、各ページに合成すると設定されているときには、読取った原稿画像データの全てのページ画像（４ページ分）に対して、設定された位置に各種情報を合成する。各ページに合成しないという設定の場合は、原稿画像データの先頭ページ（１ページ目）にのみ各種情報が合成され、残りのページ（２〜４ページ目）には何も情報を合成しない編集画像を作成する。
【０１０８】
また、編集設定情報に表示リスト項目情報を含んでいる場合は、設定された位置に対してリストデータから選択されたデータの内容を合成する。例えば、リストデータから３個のデータが選択され、読取った原稿１部の原稿画像データが４ページ分あった場合には、読取った原稿１部ごとに原稿画像データの設定された位置に選択されたデータが合成する。この例の場合、３×４＝１２ページ分の編集画像を作成する。
【０１０９】
こうして作成された編集画像は、印刷データ記憶部７６で元の印刷画像データに上書きする形で記憶される。また、編集設定情報に何も情報が設定されていない場合は、編集画像の生成を行なわれず、印刷画像データは元の印刷画像データのままである。
【０１１０】
デジタル複合機３０は、印刷データ記憶部７６に記憶された印刷画像データを、Ｓ３０１で設定されたコピーモードの設定（印刷部数など）にしたがって画像形成部５４で印刷する（Ｓ３２０）。画像編集を行なわない設定の場合は、読取った原稿画像データをコピーモードの設定にしたがって印刷し、プログラムを終了する。また、画像編集を行なう設定で編集画像が生成された場合には、印刷データ記憶部７６に印刷画像データに上書きする形で記憶された編集画像が読出され、コピーモードの設定にしたがって印刷してプログラムを終了する。特に、編集画像の生成でリストデータから選択された内容を合成した場合、印刷データ記憶部７６に記憶した作成されたそれぞれの編集画像を、設定された印刷部数分だけ印刷してプログラムを終了する。例えば、上記のように、読取った原稿１部の原稿画像データが４ページ分あり、リストデータから３個のデータが選択され、さらにコピーモードの印刷設定においての印刷部数が２部であった場合は、４×３×２＝２４枚の画像を印刷してプログラムを終了する。
【０１１１】
以上のように、この画像形成装置では、外部から取込んだリストデータをユーザＩＤと関連付けて管理し、所望するリストデータに含まれるデータを簡単に原稿画像に合成して印刷することができる。取込んだリストデータは、リストデータ登録時に関連付けて登録するユーザＩＤを持つユーザにのみ利用許可を与えることから、第３者によって不正に使用されることを防ぐことができ、データファイルを高い信頼性をもって管理することができる。また、リストデータを取込む時も、外部端末で作成された電子データを取込む方法のほか、紙媒体に書いたデータを画像読取部で読取り、読取った画像データからＯＣＲによってテキストデータを抽出して用いることができる。そのため、簡単なリストデータの作成ならば紙媒体を用いてデジタル複合機に取込むことができ、簡単にデータファイルを取込むことができる。その結果、読取った原稿画像に対し画像加工が可能な画像形成装置において、画像加工時に用いるデータファイルを簡単に取込可能で、かつ高いセキュリティ環境でデータファイルを管理可能な画像形成装置を提供することができる。
【０１１２】
本実施の形態では、外部から取込んだリストデータを、コピーモードにおける原稿画像データへ合成する場合について述べたが、外部から取込んだリストデータをイメージ送信モードに使っても良い。具体的には、リストデータ内にメールアドレスなどを記載し、上記した方法でユーザ認証及びリストデータ登録・管理を行なって、イメージ送信モードでの送信先選択時にリストデータから所望の宛先を選択する。ユーザ認証とリストデータの登録及び管理とを関連付けて行なうことで、高い信頼性で管理されたリストデータから簡単に宛先を選択することができ、紙媒体からリストデータを取込むことが可能であることから、利用者の負担を軽減することができる。また、イメージ送信モード送信するデータとしては、過去にスキャン保存したデータを用いても良い。
【０１１３】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味および範囲内でのすべての変更を含む。
【符号の説明】
【０１１４】
３０  デジタル複合機
５０  制御部
５２  画像読取部
５４  画像形成部
５６  ＯＣＲ
５８  記憶部
７４  外部媒体読取部
７６  印刷データ記憶部
８４  リストデータ記憶部
８６  認証情報記憶部
９２  表示部
４４８  リストボタン
【図１】
2010258964.tif 000003
【図２】
2010258964.tif 000004
【図３】
2010258964.tif 000005
【図４】
2010258964.tif 000006
【図５】
2010258964.tif 000007
【図６】
2010258964.tif 000008
【図７】
2010258964.tif 000009
【図８】
2010258964.tif 000010
【図９】
2010258964.tif 000011
【図１０】
2010258964.tif 000012
【図１１】
2010258964.tif 000013
【図１２】
2010258964.tif 000014
【図１３】
2010258964.tif 000015
【図１４】
2010258964.tif 000016